(57)【要約】      （修正有）【課題】種々の大きさの搬送物に適用することができ、搬送物への振動を小とすることができるコンベア構成体及びコンベアを提供する。【解決手段】搬送方向に沿って延びる一対の側壁４ａ１、４ａ２と、搬送方向と直交する方向に沿って延びる一対の端壁５ａ１、５ａ２とからなる第１ユニットケース１ａと、第１ユニットケース１ａ内に回動自在に設けられた第１ローラ２ａとを備える第１要素１００ａと、第１ユニットケース１ａと同一形状の第２ユニットケース１ｂと、第２ユニットケース内に回動自在に設けられた第２ローラ２ｂとを備える第２要素１００ｂとを有し、複数個を配設して、被搬送物を搬送方向に搬送するコンベアを形成するコンベア構成体である。第２要素１００ｂの第２ユニットケース１ｂの側壁４ｂ１、４ｂ２は、第１要素１００ａの第１ユニットケース１ａの側壁４ａ１、４ａ２の長さ寸法の略半分だけずれた状態で、第１要素１００ａに並設される。【選択図】図１
2010143656.tif 000002
【特許請求の範囲】
【請求項１】
搬送方向に沿って延びる一対の側壁と、搬送方向と直交する方向に沿って延びる一対の端壁とからなる四角形の第１ユニットケースと、この第１ユニットケース内に回動自在に設けられた第１ローラとを備える第１要素と、
前記第１ユニットケースと同一形状の第２ユニットケースと、この第２ユニットケース内に回動自在に設けられた第２ローラとを備える第２要素とを有し、
複数個を配設して、ローラ上に載置された被搬送物を搬送方向に搬送する直線状乃至面状のコンベアを形成するコンベア構成体であって、
前記第２要素は、第２ユニットケースの側壁が、前記第１要素の第１ユニットケースの側壁の長さ寸法の略半分だけずれた状態で、前記第１要素に並設されることを特徴とするコンベア構成体。
【請求項２】
前記ユニットケースは、前記ローラのシャフトが回転自在に嵌合されるシャフト嵌合用孔部を備え、このシャフト嵌合用孔部に、シャフトの抜けを防止する抜け止め部を設けたことを特徴とする請求項１のコンベア構成体。
【請求項３】
前記シャフト嵌合用孔部及び抜け止め部を、前記ユニットケースの側壁の上端縁及び下端縁に設けたことを特徴とする請求項２のコンベア構成体。
【請求項４】
前記請求項１〜請求項３のいずれかの一のコンベア構成体の第１ユニットケースの搬送方向側の端壁と、他のコンベア構成体の第１ユニットケースの反搬送方向側の端壁とを当接させるとともに、一のコンベア構成体の第２ユニットケースの第１ユニットケース側の側壁と他のコンベア構成体の第１のユニットケースの第２ユニットケース側の側壁とを当接させ、１つのユニットを構成し、このユニットを搬送方向に配設したことを特徴とするコンベア。
【請求項５】
前記請求項１〜請求項３のいずれかの一のコンベア構成体の第１ユニットケースの搬送方向側の端壁と、他のコンベア構成体の第２ユニットケースの反搬送方向側の端壁とを当接させるとともに、一のコンベア構成体の第１ユニットケースの反第２ユニットケース側の側壁と他のコンベア構成体の第１のユニットケースの第２ユニットケース側の側壁とを当接させ、１つのユニットを構成し、このユニットを搬送方向に配設したことを特徴とするコンベア。
【請求項６】
搬送方向の下流側に配設されるコンベア構成体に、ローラの回転を規制するための規制部材を設けたことを特徴とする請求項４又は請求項５のコンベア。
【発明の詳細な説明】
【技術分野】
【０００１】
本発明は、コンベア構成体及びコンベアに関する。
【背景技術】
【０００２】
搬送物を搬送する際、ローラコンベアに搬送部を載置して搬送する場合がある（特許文献１）。特許文献１に記載のローラコンベアは、その長手方向に沿って、複数のローラが所定ピッチで配設され、これらのローラがローラトレイに回転自在に保持されることにより搬送路を形成している。そして、ローラが回転することにより、ローラ上の搬送物を搬送することができる。
【０００３】
また、大型の搬送物を搬送する場合や、作業効率を向上させる等の目的で、長尺のローラコンベアが並列的に、その搬送方向と直交する方向に沿って複数設置されるものもある（特許文献２）。
【特許文献１】特開平９−２２６９１７号公報
【特許文献２】特開２００２−１５４６２６号公報
【発明の開示】
【発明が解決しようとする課題】
【０００４】
しかしながら、特許文献１のように、搬送方向に沿ってローラが１列に所定ピッチで配設されたものでは、搬送物が搬送路から外れることがあり、大きな搬送物を搬送できないという問題がある。また、特許文献１のように、搬送方向に沿ってローラが１列に配設されるものであっても、特許文献２のように、ローラが１列に配設されたものを、搬送方向と直交する方向に沿って複列に配設されるものであっても、ローラは所定ピッチで配設されている。このため、夫々のローラの隙間に搬送物が落ち込んで、搬送物に振動を与える等により、搬送物を傷付けるおそれがあった。
【０００５】
そこで、本発明は、上記課題に鑑みて、種々の大きさの搬送物に適用することができ、搬送物への振動を小とすることができるコンベア構成体及びコンベアを提供する。
【課題を解決するための手段】
【０００６】
本発明のコンベア構成体は、搬送方向に沿って延びる一対の側壁と、搬送方向と直交する方向に沿って延びる一対の端壁とからなる四角形の第１ユニットケースと、この第１ユニットケース内に回動自在に設けられた第１ローラとを備える第１要素と、前記第１ユニットケースと同一形状の第２ユニットケースと、この第２ユニットケース内に回動自在に設けられた第２ローラとを備える第２要素とを有し、複数個を配設して、ローラ上に載置された被搬送物を搬送方向に搬送する直線状乃至面状のコンベアを形成するコンベア構成体であって、前記第２要素の第２ユニットケースの側壁は、前記第１要素の第１ユニットケースの側壁の長さ寸法の略半分だけずれた状態で、前記第１要素に並設されるものである。
【０００７】
本発明のコンベア構成体では、第１要素と第２要素とでコンベアを形成するための１つのユニットを構成しているので、複数個配設することにより長尺のコンベアを形成することができる。しかも、配設方法としては、複数個を組み合わせて、搬送方向に配設したり、搬送方向と直交する方向に配設したりすることができるため、コンベアの搬送方向の長さ及び搬送方向と直交する方向の長さを所望の寸法とすることができる。また、第１ローラと第２ローラとが搬送方向と直交する方向に沿ってずれていることから、コンベアを形成した際に、搬送方向と直交する方向に沿って、ローラの位置がずれることになる。これにより、ローラ同士の隙間に搬送物が落ち込もうとしても、隣の列のローラにて搬送物を受けることができる。
【０００８】
前記ユニットケースは、前記ローラのシャフトが回転自在に嵌合されるシャフト嵌合用孔部を備え、このシャフト嵌合用孔部に、シャフトの抜けを防止する抜け止め部を設けることができる。これにより、シャフトをシャフト嵌合用孔部に嵌合させれば、ローラをユニットケースに保持できるとともに、ユニットケースからの抜けを防止することができる。
【０００９】
前記シャフト嵌合用孔部及び抜け止め部を、前記ユニットケースの側壁の上端縁及び下端縁に設けることができる。これにより、ローラをユニットケースの側壁の上端縁側から取り付けたり、下端縁側から取り付けたりすることができて、ユニットケースの上下を反転して使用することが可能となる。このように、１つのユニットケースで２通りの使用態様が可能となる。
【００１０】
本発明のコンベアは、前記本発明の一のコンベア構成体の第１ユニットケースの搬送方向側の端壁と、他のコンベア構成体の第１ユニットケースの反搬送方向側の端壁とを当接させるとともに、一のコンベア構成体の第２ユニットケースの第１ユニットケース側の側壁と他のコンベア構成体の第１のユニットケースの第２ユニットケース側の側壁とを当接させ、１つのユニットを構成し、このユニットを搬送方向に配設したものである。
【００１１】
前記本発明の一のコンベア構成体の第１ユニットケースの搬送方向側の端壁と、他のコンベア構成体の第２ユニットケースの反搬送方向側の端壁とを当接させるとともに、一のコンベア構成体の第１ユニットケースの反第２ユニットケース側の側壁と他のコンベア構成体の第１のユニットケースの第２ユニットケース側の側壁とを当接させ、１つのユニットを構成し、このユニットを搬送方向に配設することもできる。
【００１２】
搬送方向の下流側に配設されるコンベア構成体に、ローラの回転を規制するための規制部材を設けることができる。これにより、搬送方向の下流側では、ローラは規制部材に摺接しながら回転することになって、ローラに摩擦力が付与されてローラの回転が遅くなるため、搬送物を搬送方向の下流側で留めることができる。
【発明の効果】
【００１３】
本発明のコンベア構成体によれば、コンベアの搬送方向の長さ及び搬送方向と直交する方向の長さを所望の寸法とすることができるため、搬送物の大きさに応じたコンベアを形成することができ、種々の大きさの搬送物を搬送することができる。また、１つのコンベアを形成した後、配列を組み替えて他の大きさのコンベアを形成することもできる。このため、異なる大きさのコンベアを何通りも構成することができるため、コンベアを形成するための材料を節約することもでき、環境面、コスト面でも優れたものとなる。さらには、ローラ同士の隙間に搬送物が落ち込もうとしても、隣の列のローラにて搬送物を受けることができるため、搬送物がローラ同士の隙間に落ち込むことを防止することができ、搬送物への振動を小とすることができる。これにより、搬送中に搬送物を傷付けるおそれが少なくなる。
【００１４】
シャフト嵌合用孔部にて、ローラをユニットケースに保持できるとともに、ユニットケースからの抜けを防止することができるため、安定して搬送物を搬送することができる。
【００１５】
１つのユニットケースで２通りの使用態様が可能となるため、使用環境に応じて使用態様を選択することができ、汎用性に優れたものとなる。
【００１６】
本発明のコンベアは、前記本発明のコンベア構成体を、長手方向に沿って複数配設することにより、ローラを搬送方向に沿って複列で配列することができ、種々の大きさのコンベアとすることができる。これにより、種々の大きさの搬送物を搬送することができ、汎用性に優れ、コストの低減を図ることもできる。さらには、コンベア構成体の一部が損傷した場合、損傷したコンベア構成体のみを交換すればよいため、メンテナンスが容易であるとの利点もある。
【００１７】
搬送方向の下流側ではローラの回転が遅くなるため、搬送物を搬送方向の下流側で留めることができ、搬送物を傷付けるおそれが一層少なくなる。
【発明を実施するための最良の形態】
【００１８】
以下、本発明を実施するための最良の形態について説明する。
【００１９】
本発明のコンベア構成体は、搬送物を搬送方向に搬送するコンベアを形成するためのものである。
【００２０】
コンベア構成体は、図１に示すように、第１要素１００ａと第２要素１００ｂとから構成される。第１要素１００ａは、上方が開口状である矩形状の第１ユニットケース１ａと、この第１のユニットケース内に設けられる第１ローラ２ａとから構成されている。第２要素１００ｂは、上方が開口状である矩形状の第２ユニットケース１ｂと、この第２のユニットケース内に設けられる第２ローラ２ｂとから構成されている。ユニットケース１ａ、１ｂ及びローラ２ａ、２ｂの材質は、例えば、エンジニアリングプラスチックを用いることができる。エンジニアリングプラスチックとは、合成樹脂の中で、構造材または耐摩耗、耐食、電気絶縁性を兼ね備え、機械部品材として適したものを指し、ポリアミド、ＡＢＳ、ポリカーボネイト、塩化ビニル、ポリアセタール等をいう。エンジニアリングプラスチックは、金属材料に比べて成形が容易、安価、大量生産に適するといった特性がある。なお、本実施形態では、ポリアセタール（ＰＰＭ：polyacetal）を使用している。
【００２１】
第１ユニットケース１ａは、底壁３ａと、一対の側壁４ａ１、４ａ２と、一対の端壁５ａ１、５ａ２とから構成されている。側壁４ａ１、４ａ２とは、搬送物（図示省略）の搬送方向に沿って延びる面であり、第２ユニットケース側の側壁４ａ１を一方の側壁、反第２ユニットケース側の側壁４ａ２を他方の側壁という。端壁５ａ１、５ａ２とは、搬送方向と直交する方向に沿って延びる面であり、搬送方向側の端壁５ａ１を一方の端壁、反搬送方向側の端壁５ａ２を他方の端壁という。他方の側壁４ａ２には、補強用リブ７ａが設けられている。補強用リブ７ａは、第１ユニットケース１ａの端壁５ａ１、５ａ２と平行に延びる第１部１５ａと、第１ユニットケース１ａの側壁４ａ１、４ａ２と平行に延びる第２部１６ａとからなる。また、側壁４ａ１、４ａ２には、夫々上方に開口するシャフト嵌合用孔部６ａが設けられている。このシャフト嵌合用孔部６ａは、図２に示すように、円弧部８ａと、円弧部８ａから上端面に延びて相対向する一対の直線部９ａとからなる。この一対の直線部間の幅は、後述するシャフト１１ａの外径寸法よりも小であり、この直線部９ａが、シャフト１１ａの上方への抜けを防止する抜け止め部となる。第１ユニットケース１ａの他方の側壁４ａ２において、シャフト嵌合用孔部６ａの下方には、図２に示すように、凹部１７ａが形成されている。これにより、軽量化、材料の節約を図ることができる。
【００２２】
第１ローラ２ａは、搬送物を載置するローラ本体１０ａと、ローラ本体１０ａの軸心部に配設されるシャフト１１ａとを備えている。ローラ本体１０ａは、第１ユニットケース１ａの一対の側壁４ａ１、４ａ２の内面間寸法よりも僅かに小となる幅を有している。シャフト１１ａは、中空状の円筒体でありローラ本体１０ａの軸心方向において突出している。シャフト１１ａは、シャフト嵌合用孔部６ａに着脱可能に嵌合されている。第１ローラ２ａは、円弧部８ａに当接し、一対の直線部９ａ（抜け止め部）がシャフト１１ａの上方への抜けを規制して、第１ユニットケース１ａから第１ローラ２ａが上方に抜けることを防止している。なお、シャフト１１ａを上方に引張ると、直線部９ａが弾性的に僅かに変形し、シャフト１１ａは一対の直線部９ａを乗り越えて、シャフト嵌合用孔部６ａから抜くことができる。このようにして、第１ローラ２ａをユニットケース１ａから分離することができる。
【００２３】
第２ユニットケース１ｂは、第１ユニットケース１ａと同一形状で同一の大きさを有し、底壁３ｂと、一対の側壁４ｂ１、４ｂ２と、一対の端壁５ｂ１、５ｂ２とから構成されている。第２ユニットケース１ｂは、第１ユニットケース１ａの搬送方向に、第１ユニットケース１ａの搬送方向の長さ寸法の略半分だけずれた状態で並設されている。また、第２ユニットケース内に、第２ローラ２ｂが回転自在に設けられている。これにより、第１ローラ２ａと第２ローラ２ｂとが搬送方向と直交する方向に沿ってずれることになる。なお、第２ユニットケース１ｂのその他の構成は、第１ユニットケース１ａの構成と同様であるため、同一符号を付してその説明を省略する。また、第２ローラ２ｂの構成は、第１ローラ２ａの構成と同様であるため、同一符号を付してその説明を省略する。
【００２４】
次に、前記コンベア構成体を用いてコンベアを形成する方法について説明する。まず、
図３に示すように、一のコンベア構成体２０の第１ユニットケース１ａの一方（搬送方向側）の端壁５ａ１と、他のコンベア構成体２１の第１ユニットケース１ａの他方（反搬送方向側）の端壁５ａ２とを当接させるとともに、一のコンベア構成体２０の第２ユニットケース１ｂの一方（第１ユニットケース側）の側壁４ｂ１と他のコンベア構成体２１の第１のユニットケース１ａの一方（第２ユニットケース側）の側壁４ａ１とを当接したユニット５０を構成する。そして、図４に示すように、ユニット５０Ａ、５０Ｂ、５０Ｃ、５０Ｄ・・・を搬送方向に沿って複数配設する。これにより、搬送方向に沿って第１要素１００ａが１列となるとともに、第１要素１００ａの列に沿って第２要素１００ｂの列が並設されることになる。つまり、図５に示すように、第１ローラ２ａ１、２ａ２、・・・及び第２ローラ２ｂ１、２ｂ２、・・・とが夫々、搬送方向に沿って所定ピッチで配設された２列のコンベアを形成することができる。
【００２５】
そして、コンベア構成体を外装体６０にて覆う。外装体６０は、底壁６１と、底壁６１から立設し相対面する一対の側壁６２ａ、６２ｂと、上壁６３ａ、６３ｂとから構成されている。一方の側壁６２ａから他方の側壁６２ｂまでの内面間寸法は、コンベア構成体の第１ユニットケース１ａの他方（反第２ユニットケース側）の側壁４ａ２から、コンベア構成体の第２ユニットケース１ｂの他方（反第１ユニットケース側）の側壁４ｂ２までの長さ寸法と略同一である。また、底壁６１の上面から上壁６３ａ、６３ｂの下面までの長さ寸法は、ユニットケース１ａ、１ｂの上下方向における長さ寸法と略同一である。そして、一方の側壁６２ａが、コンベア構成体の第１ユニットケース１ａの他方（反第２ユニットケース側）の側壁４ａ２に当接し、他方の側壁６２ｂが、コンベア構成体の第２ユニットケース１ｂの他方（反第１ユニットケース側）の側壁４ｂ２に当接し、底壁６１が、コンベア構成体の底壁３に当接し、一方の上壁６３ａが、第１ユニットケース１ａの上面に当接し、他方の上壁６３ｂが、第２ユニットケース１ｂの上面に当接する。これにより、各コンベア構成体を固定することができて、直線状のコンベアを構成することができる。そして、図示省略の搬送物をローラ上に載置し、ローラ２を回転させることにより、図５の矢印の方向に示すように、上流側から下流側へ向かって搬送物を搬送することができる。
【００２６】
コンベアの搬送方向の下流側に配設されるコンベア構成体では、図３の仮想線に示すように、ユニットケース１に規制部材１４を懸架している。この場合、規制部材１４は、第１ユニットケース１ａの一方の側壁４ａ１から他方の側壁４ａ２まで延びる線状体乃至棒状体である。また、第２ユニットケース１ｂの一方の側壁４ｂ１から他方の側壁４ｂ２、４ｂ２まで延びる線状体乃至棒状体である。この規制部材１４は、ローラ２ａ、２ｂが回転する場合に、ローラ２ａ、２ｂと摺接する位置に設けている。これにより、下流側のローラ２は規制部材１４に摺接しながら回転することになって、ローラ２に摩擦力を付与することができる。これにより、搬送方向の下流側ではローラ２ａ、２ｂの回転が遅くなるため、搬送物を下流側で留めることができる。
【００２７】
本発明のコンベア構成体を用いて他のコンベアを形成する方法について説明する。まず、図６に示すように、一のコンベア構成体２０の第１ユニットケース１ａの一方（搬送方向側）の端壁５ａ１と、他のコンベア構成体２１の第２ユニットケース１ｂの他方（反搬送方向側）の端壁５ｂ２とを当接させるとともに、一のコンベア構成体２０の第１ユニットケース１ａの他方（反第２ユニットケース側）の側壁４ａ２と他のコンベア構成体２１の第１ユニットケース１ａの一方（第２ユニットケース側）の側壁４ａ１とを当接したユニット５１を構成する。そして、そして、このユニット５１を、図７や図８のように、搬送方向に沿って複数配設する。これにより、搬送方向に沿って第１要素１００ａと第２要素１００ｂとが交互に配設されて１列となり、このような列が複数列並設されるコンベアを構成することができる。
【００２８】
このように、本発明のコンベア構成体では、第１要素１００ａと第２要素１００ｂとでコンベアを形成するための１つのユニットを構成しているので、複数個配設することにより長尺のコンベアを形成することができる。しかも、配設方法としては、搬送方向に配設したり、搬送方向と直交する方向に配設したりすることができるため、コンベアの搬送方向の長さ及び搬送方向と直交する方向の長さを所望の寸法とすることができる。これにより、搬送物の大きさに応じたコンベアを形成することができ、種々の大きさの搬送物を搬送することができる。また、第１ローラ２ａと第２ローラ２ｂとが搬送方向と直交する方向に沿ってずれていることから、第１ローラ同士の隙間（第２ローラ同士の隙間）に搬送物が落ち込もうとしても、隣の列の第２ローラ２ｂ（第１ローラ２ａ）にて搬送物を受けることができる。このため、搬送物が第１ローラ同士の隙間（第２ローラ同士の隙間）に落ち込むことを防止することができ、搬送物への振動を小とすることができる。従って、搬送中に搬送物を傷付けるおそれが少なくなる。しかも、１つのコンベアを形成した後、配列を組み替えて他の大きさのコンベアを形成することもできる。このため、異なる大きさのコンベアを何通りも構成することができ、コンベアを形成するための材料を節約することができて、環境面、コスト面でも優れたものとなる。
【００２９】
ユニットケース１ａ、１ｂは、ローラ２ａ、２ｂのシャフト１１ａ、１１ｂが回転自在に嵌合されるシャフト嵌合用孔部６ａ、６ｂを備え、このシャフト嵌合用孔部６ａ、ｂに、シャフト１１ａ、１１ｂの抜けを防止する抜け止め部９ａ、９ｂを有するので、シャフト１１ａ、１１ｂをシャフト嵌合用孔部６に嵌合させれば、ローラ２ａ、２ｂをユニットケース１ａ、１ｂに保持できるとともに、ユニットケース１ａ、１ｂからの抜けを防止することができる。これにより、安定して搬送物を搬送することができる。
【００３０】
前記本発明のコンベア構成体を、長手方向に沿って複数配設することにより、ローラ２ａ、２ｂを搬送方向に沿って複列で配設することができ、種々の大きさのコンベアとすることができる。これにより、種々の大きさの搬送物を搬送することができ、汎用性に優れ、コストの低減を図ることもできる。さらには、コンベア構成体の一部が損傷した場合、損傷したコンベア構成体のみを交換すればよいため、メンテナンスが容易であるとの利点もある。
【００３１】
搬送方向の下流側に配設されるコンベア構成体に、ローラ２ａ、２ｂの回転を規制するための規制部材１４を設けると、搬送方向の下流側では、ローラ２ａ、２ｂは規制部材１４に摺接しながら回転することになる。この場合、ローラ２ａ、２ｂに摩擦力が付与されてローラ２ａ、２ｂの回転が遅くなるため、搬送物を搬送方向の下流側で留めることができる。これにより、搬送方向の下流側では、搬送物を傷付けるおそれが一層少なくなる。
【００３２】
次に、図９及び図１０は、本発明の第２実施形態のコンベア構成体であり、この場合、第１ユニットケース１ａ及び第２ユニットケース１ｂは、一対の底壁３０ａ、３０ｂと、一対の側壁４ａ１、４ａ２、４ｂ１、４ｂ２と、一対の端壁５ａ１、５ａ２、５ｂ１、５ｂ２とから構成されている。すなわち、一対の底壁３０ａ、３０ｂの間には、切欠部３１ａ、３１ｂが設けられている。そして、図９に示すように、ユニットケース１ａ、１ｂの側壁４の上端縁にシャフト嵌合用孔部６ａ１、６ｂ１及び抜け止め部９ａ１、９ｂ１を設け、ユニットケース１ａ、１ｂの側壁４の下端縁にシャフト嵌合用孔部６ａ２、６ｂ２及び抜け止め部９ａ２、９ｂ２を設けている。すなわち、１つのユニットケースに、２箇所のシャフト嵌合用孔部６及び抜け止め部９を設けている。
【００３３】
これにより、上端縁側のシャフト嵌合用孔部６ａ１、６ｂ１にローラ２ａ、２ｂを装着したり、下端縁側のシャフト嵌合用孔部６ａ２、６ｂ２にローラ２ａ、２ｂを装着したりできる。なお、図９及び図１０は、下端縁側のシャフト嵌合用孔部６ａ２、６ｂ２にローラ２ａ、２ｂを装着した図であり、図１０は、底壁３０ａ、３０ｂがユニットケース１ａ、１ｂの上側となるように使用した図である。
【００３４】
このように、第２実施形態のコンベア構成体でも、前記第１実施形態のコンベア構成体と同様の効果を奏する。特に、ローラ２ａ、２ｂをユニットケース１ａ、１ｂの側壁４ａ、４ｂの上端縁側から取り付けたり、下端縁側から取り付けたりすることができて、ユニットケース１ａ、１ｂの上下を反転して使用することが可能となる。すなわち、１つのユニットケース１ａ、１ｂで２通りの使用態様が可能となるため、使用環境に応じて使用態様を選択することができ、汎用性に優れたものとなる。例えば、重量が大の搬送物を搬送する場合は、ユニットケース１ａ、１ｂの安定性を確保するため、底壁３０ａ、３０ｂがユニットケース１ａ、１ｂの下側となるように使用する。また、塵埃や異物等が比較的少ないクリーンな環境で使用する場合にも、底壁３０ａ、３０ｂがユニットケース１ａ、１ｂの下側となるように使用できる。一方、塵埃や異物等が多い環境では、底壁３０ａ、３０ｂがユニットケース１ａ、１ｂの上側となるように使用するのが好ましい。この場合、底壁３０ａ、３０ｂにてユニットケース１ａ、１ｂの内部に塵埃や異物が侵入するのを防止することができる。これにより、ローラ２ａ、２ｂは、長期にわたって滑らかに回転することが可能となり、コンベアとしての機能を長期にわたって維持することができる。その他、種々の使用環境に応じて、使用態様を選択することができる。なお、図９及び図１０に示すコンベア構成体において、図１〜図８に示すコンベア構成体と同様の構成については、図１〜図８と同一符号を付してその説明を省略する。
【００３５】
以上、本発明の実施形態につき説明したが、本発明は前記実施形態に限定されることなく種々の変形が可能であって、例えば、ローラ２ａ、２ｂ及びユニットケース１ａ、１ｂの材質としては、摺動性を考慮すればエンジニアリングプラスチックが望ましいが、他の樹脂であってもよい。ユニットケース１ａ、１ｂやローラ２ａ、２ｂの大きさとしては種々の大きさを採用することができる。ユニットケース１ａ、１ｂは正方形であってもよい。１つのコンベア構成体において、第１ローラ２ａの大きさと第２ローラ２ｂの大きさとを相違させてもよい。実施形態では、コンベアを形成する際に、複数のコンベア構成体の端壁同士、及び側壁同士を隙間なく当接させて配設したが、各コンベア構成体の端壁同士及び／又は側壁同士に隙間を形成して配設してもよい。また、コンベア構成体は、第１要素１００ａ及び第２要素１００ｂの２つから構成されたが、さらに第３部、第４部・・・を有する構成であってもよい。図３に示すユニット５０を、搬送方向と直交する方向にも配設し、４列、６列・・・の多数列のコンベアを構成することもできる。規制部材１４は、ユニットケース１ａ、１ｂの一対の側壁４に懸架されるように付設したが、端壁５からローラ２ａ、２ｂに延びる方向に付設してもよい。また、規制部材１４は、棒状体乃至線状体でなくてもよく、端壁５から突出する突起にて構成することもできる。シャフト嵌合用孔部６及び抜け止め部９を、ユニットケース１の側壁４の上端縁及び下端縁の両方に設ける場合は、上端縁側のシャフト嵌合用孔部６ａ１、６ｂ１と、下端縁側のシャフト嵌合用孔部６ａ２、６ｂ２との大きさを相違させてもよい。これにより、上端縁側のシャフト嵌合用孔部６ａ１、６ｂ１に装着するローラ２と、下端縁側のシャフト嵌合用孔部６ａ２、６ｂ２に装着するローラ２とを相違させることができ、更に異なるタイプのコンベアを構成することができるため、一層汎用性に優れたものとなる。
【図面の簡単な説明】
【００３６】
【図１】本発明の第１実施形態を示すコンベア構成体の平面図である。
【図２】本発明の第１実施形態を示すコンベア構成体の側面図である。
【図３】本発明の第１実施形態を示すコンベアを形成するユニットの斜視図である。
【図４】本発明の第１実施形態を示すコンベアを形成するユニットの配列を示す底面図である。
【図５】本発明の第１実施形態を示すコンベアの斜視図である。
【図６】本発明の第２実施形態を示すコンベアを形成するユニットの斜視図である。
【図７】本発明の第２実施形態を示すコンベアを形成するユニットの配列を示す底面図である。
【図８】本発明の第２実施形態を示すコンベアの斜視図である。
【図９】本発明の第２実施形態を示すコンベア構成体の平面図である。
【図１０】本発明の第２実施形態を示すコンベア構成体の側面図である。
【符号の説明】
【００３７】
１    ユニットケース
２    ローラ
４    側壁
５    端壁
６    シャフト嵌合用孔部
９    抜け止め部
１１    シャフト
１４    規制部材
５０、５１  ユニット
１００ａ    第１要素
１００ｂ    第２要素
【図１】
2010143656.tif 000003
【図２】
2010143656.tif 000004
【図３】
2010143656.tif 000005
【図４】
2010143656.tif 000006
【図５】
2010143656.tif 000007
【図６】
2010143656.tif 000008
【図７】
2010143656.tif 000009
【図８】
2010143656.tif 000010
【図９】
2010143656.tif 000011
【図１０】
2010143656.tif 000012